(57)【特許請求の範囲】
【請求項１】
台所のコンロ上部の壁面に固設されたフード部と、
前記壁面又は天井面に固設された送風機部と、
前記送風機部と前記壁面に開口する換気扇穴とを連結する第１ダクトと、
前記フード部と前記送風機部とを連結する第２ダクトと、
断面直角三角形状を構成し、前記フード部の角度を調整する角度調整部材を有すること、
を特徴とするレンジフード。
【請求項２】
請求項１に記載するレンジフードにおいて、
前記レンジフードは、前記フード部と分離された別体である制御基板を内蔵する制御ボックスを有すること、
前記送風機部及び前記制御ボックスは、前記壁面または天井面に設置されること、
を特徴とするレンジフード。
【請求項３】
請求項１に記載するレンジフードにおいて、
前記角度調整部材により、前記フード部の手前側の高さが高くなること、
を特徴とするレンジフード。
【請求項４】
請求項２に記載するレンジフードにおいて、
前記送風機部内の送風機はシロッコファンであること、
前記送風機部の風速を実測すること、
前記風速を基に前記制御基板は前記シロッコファンの回転数を最低レベルとすること、
を特徴とするレンジフード。
【請求項５】
請求項２に記載するレンジフードにおいて、
前記レンジフードに温度検出装置を有すること、
前記制御基板には温度検出装置と有線あるいは無線で接続されている安全装置を有すること、
を特徴とするレンジフード。
【発明の詳細な説明】
【技術分野】
【０００１】
本発明は、台所のコンロ上部の壁面に開口する換気扇穴に第１ダクトを介して設置されるレンジフードに関する。
【背景技術】
【０００２】
従来、送風機と一体化した制御基板内蔵のレンジフードが用いられてきた。
一体型レンジフードは、台所コンロ上部の壁面に設置される。壁面に開口する換気扇穴と一体型レンジフードは、第１ダクトにより接続されている。一体型レンジフードを動かすことにより第１ダクトを介し、換気扇穴から排気がされる。
一体型レンジフードは、工場で一括して製造することができるため生産性がよい。
【先行技術文献】
【特許文献】
【０００３】
【特許文献１】特開平１１−３３７１４１号公報
【発明の概要】
【発明が解決しようとする課題】
【０００４】
しかしながら、従来の一体型レンジフードには、以下のような問題点があった。
すなわち、一体型レンジフードは、既築物件に設置する場合、既存の換気扇穴を使用して設置しなければならない。しかし、一体型レンジフードは、フード部と送風機部が一体となっているため、送風機部と換気扇穴が干渉し一体型レンジフードを設置できない場合があった。このような制約があることにより、レンジフード利用者は、好みのデザインのレンジフードを設置できない問題がある。昨今リフォームが数多くなされる中で、レンジフードを好みのデザインで選ぶことができないのは利用者にとって不利益である。
また、一体型レンジフードは、大型かつ重量となるため、施工業者にとっては施工するのが困難な問題がある。
さらに、レンジフード使用者の身長が高い場合において、フード前突出部が頭に当たるという問題があり、身長が低い場合において、フード前突出部の操作部に手が届かないという問題がある。
また、一体型レンジフードは、送風機部が調理者に近い位置にあるため、送風機の音が大きい問題がある。
さらに、一体型レンジフードにおいて、安全装置を有するものの温度検出装置は、一般に火災時の炎や煙が直接通らない制御ボックス内にあるため、火災検知が遅れる、あるいは検知しないという問題がある。
【０００５】
特許文献１の図３に、フード部と送風機が別体にされたものが記載されている。しかし、図３に記載されたレンジフードは、異なる部屋に設けられた換気扇穴につなげることを目的とし、上記リフォームの際に発生する課題を解決するために考えられたものではないため、課題が全く異なる。
【０００６】
そこで、本発明は、上記問題点を解決するためになされたものであり、換気扇穴の位置を問わずに施工が可能なレンジフードを提供することを目的とする。
【課題を解決するための手段】
【０００７】
（１）台所のコンロ上部の壁面に固設されたフード部と、前記壁面又は天井面に固設された送風機部と、前記送風機部と前記壁面に開口する換気扇穴とを連結する第１ダクトと、前記フード部と前記送風機部とを連結する第２ダクトと、断面直角三角形状を構成し、前記フード部の角度を調整する角度調整部材を有すること、を特徴とするものである。
【０００８】
（２）（１）に記載するレンジフードにおいて、前記レンジフードは、前記フード部と分離された別体である制御基板を内蔵する制御ボックスを有すること、前記送風機部及び前記制御ボックスは、前記壁面または天井面に設置されること、を特徴とするものである。
【００１０】
（３）（１）に記載するレンジフードにおいて、前記角度調整部材により、前記フード部の手前側の高さが高くなること、を特徴とするものである。
【００１２】
（４）（２）に記載するレンジフードにおいて、前記送風機部内の送風機はシロッコファンであること、前記送風機の風速を実測すること、前記風速を基に前記制御基板は前記シロッコファンの回転数を最低レベルとすること、を特徴とするものである。
【００１３】
（５）（２）に記載するレンジフードにおいて、前記レンジフードに温度検出装置を有すること、前記制御基板には温度検出装置と有線あるいは無線で接続されている安全装置を有すること、を特徴とするものである。
ここで、安全装置とは、温度検出装置により送風機部を自動停止できるもの、あるいは小型消火器との連動により自動消火できるものである。また、温度検出装置や小型消火器はフード部内であり、かつ第２ダクトとの接続部近辺に実装する。温度検出装置は機械式（温度ヒューズ式）若しくは、バイメタル式、電子式（サーミスタ式）のものを指す。
【発明の効果】
【００１４】
（１）台所のコンロ上部の壁面に固設されたフード部と、前記壁面又は天井面に固設された送風機部と、前記送風機部と前記壁面に開口する換気扇穴とを連結する第１ダクトと、前記フード部と前記送風機部とを連結する第２ダクトとを有することにより、送風機部を換気扇穴と干渉しない任意の壁面又は天井面に設置することができる。したがって、換気扇穴の位置を問わずにレンジフードを取り付けることができるため、レンジフードのデザインを問わずに取り付けることが可能となる。
また、フード部と送風機部が別体であることにより、一体型レンジフードと比較して個々の取付け部材を小型化できるため軽量となる。そのため、施工を容易に行うことができるので、施工時の安全を確保することができる。さらにこの軽量化により自重を分散することができるため、長期設置に伴ったビスの緩みなどによるフード部の傾きを防止することができる。
また、送風機部を天井面あるいは天井面に近い壁面に設置することで、一体型レンジフードよりフード部上部の空間を広く確保でき、奥行きスペースを要する物品の収納スペースとしても利用可能となる。
また、フード部と送風機を別体とすることで、音の発生源である送風機を調理者から遠ざけることができる。そのため、強運転時の騒音を低減することができる。
【００１５】
（２）レンジフードは、フード部と分離された別体である制御基板を内蔵する制御ボックスを有すること、送風機部及び制御ボックスは、壁面または天井面に設置されることにより、制御ボックス内の制御基板が故障した時に、制御基板を簡単に修理することができる。すなわち、フード部と制御ボックスが一体である場合には、フード部を分解しなければならないが、制御ボックスが別体であるため、制御ボックスの制御基板のみを取り外し、修理を行うことができる。そのため、修理作業が簡略化され、修理時間を短縮することができる。さらに、制御ボックスを再設置するときに、配線の誤接続や本体に配線を収納する際に、配線の挟み込みによる漏電・断線がなくなる。また、ネジ止め部の施工不良などの問題もなくなる。
また、フード部を清掃するときに、スプレー式の洗剤液を不注意により制御ボックスに吹きかけてしまい、制御基板が故障することがある。しかし、フード部と制御ボックスが別体であることにより、洗剤液を制御ボックスに誤って吹きかけることがなくなるため、不注意による制御基板の故障が生じる可能性を低減することができる。
【００１６】
（３）フード部の角度を調整する角度調整部材を有することにより、使用者が背の高い使用者である場合でも、フード部を設置する際に角度を調整することでフード部が頭にあたる等の邪魔になることなく使用することができる。
他方、使用者が背の低い使用者である場合でもフード部を設置する際に、フード部取り付け高さを下げ、さらに取り付け角度を調整することでフード部を適した位置で使用することができる。すなわち、背の低い使用者が使用するときにフード部に設置されたスイッチに手が届きやすくなる。
レンジフード本体の角度を調整することができるのは、フード部と送風機部が別体となっていることによりフード部が軽量化されたことにより、行うことができるようになる。
【００１７】
（４）角度調整部材により、フード部の手前側の高さが高くなることにより、使用者の背の高さに合わせてフード部の設置の際に高さを調整することができる。昨今では、定年後に料理を始める男性も多いため、男性に合わせたレンジフードの高さに調整することができる。
また、角度調整部材がフード部の壁面側の高さが低くなると、手前側の高さが高くなるように、シーソーの原理で動くため、大がかりな装置を必要としないため小さな力で角度調整をすることができる。
【００１８】
（５）角度調整部材は、断面直角三角形状を構成することにより、フード部の角度を上げた時又は下げた時であっても、角度調整部材の向きを変えることで、角度調整部材がフード部に接続可能となり、フード部を固定することができる。
また、角度調整部材が断面直角三角形状であることにより、Ｌ型接続部材の直角の隣辺にかかっていた荷重を直角に対する辺にも分散することができる。そのためフード部が前のめりに傾くことを防止することができる。
【００１９】
（６）送風機部内の送風機はシロッコファンであること、送風機部の風速を実測すること、風速を基に制御基板はシロッコファンの回転数を最低レベルとすることにより、シロッコファンの機能を最低限保った状態で、シロッコファンの騒音を低減することができる。
【００２０】
（７）安全装置の温度検知装置と制御基板とを別体とすることで、温度検知装置を直に排気と接触させることができるため、いち早く高温を検知できる。すなわち、安全装置により火災を検知したら、運転を自動停止あるいは自動消火させることができる。これにより、被害を最小限に食い止めることができ、延焼火災に及ぶ可能性も低減することができる。
【図面の簡単な説明】
【００２１】
【図１】本発明の第１実施形態に係るレンジフードの構成正面図である。
【図２】本発明の第１実施形態に係るレンジフードの構成側面図である。
【図３】本発明の第１実施形態に係る換気扇穴隠蔽枠の分解斜視図である。
【図４】本発明の第１実施形態に係る第１ダクトの一部構成図である。
【図５】本発明の第２実施形態に係るフード部と角度調整部材の構成側面図（１）である。
【図６】本発明の第２実施形態に係るフード部と角度調整部材の構成側面図（２）である。
【図７】本発明の第２実施形態に係るフード部と角度調整部材の構成側面図（３）である。
【図８】本発明の第３実施形態に係るレンジフードと安全装置の構成正面図である。
【図９】従来のレンジフードの構成図を示す。
【発明を実施するための形態】
【００２２】
以下に、本発明に係るレンジフードの実施形態について、図面を参照して説明する。
【００２３】
（第１実施形態）
＜レンジフードの全体構成＞
図１は、レンジフード１の構成正面図を示す。図２は、レンジフード１の構成側面図を示す。
レンジフード１は、図９に示す従来設置されている換気扇２０５と交換して、コンロ１０２の上方を覆うように設置されるものである。
図２に示すように、レンジフード１は、内壁面１０１ａに固定されたフード部４と送風機部２と第１ダクト７、第２ダクト８、及び、制御ボックス９を有する。フード部４と送風機部２は第２ダクト８により連結し、送風機部２と換気扇穴１０３は第１ダクト８により連結されている。
【００２４】
＜レンジフード本体の構成＞
図２に示すように、フード部４は、壁１０１の内壁面１０１ａに固定されている。フード部４は、フィルタ３と整流板１２とライト１３を有する。フィルタ３は、フード部４に設けられた桟４ａ，４ａに着脱可能に支持され、整流板１２と送風機部２との間に配置されている。フード部４の上面側に、第２ダクト８と接続するための、レンジフード本体管４１が形成されている。
図１に示すように、フード部４の正面には、送風機部２の運転スイッチ１４が形成されている。運転スイッチ１４は、送風機部２の送風の強弱を調整するスイッチ及び停止スイッチ等の従来と変わらない機能のスイッチが付けられている。
【００２５】
＜送風機ケーシングの構成＞
図２に示すように、送風機部２は、壁１０１の内壁面１０１ａに固定されている。本実施例においては内壁面１０１ａに固定しているが、天井面に固定することもできる。送風機部２の内部には、シロッコファン２１を有する。シロッコファン２１は、多翼送風機であり、回転方換気用機器に使用されるファン（扇）の一種である。
シロッコファン２１が回転することにより、フード部４の下部に設置された図示しないコンロで発生した排気ガスを吸い込んで気流を形成することができる。
【００２６】
図２に示すように、換気扇２０５が取り外された換気扇穴１０３は、換気扇穴隠蔽枠５で塞がれている。第１ダクト７は、送風機部２と換気扇穴隠蔽枠５に接続され、送風機部２が吸い込んだ排気ガスを屋外へ排出する流路を形成している。換気扇穴隠蔽枠５は、鳥が屋外から屋内へ侵入することを防止するためのベントキャップ１１が内設されている。
【００２７】
＜第１ダクトの構成＞
図４に、第１ダクト７の一部構成図を示す。
図１に示す第１ダクト７は、換気扇穴１０３に設置された換気扇穴隠蔽枠５と送風機部２の開口部と連結接続する。図１及び図２に示すように、第１ダクト７は、第１ストレート管７０、第１エルボ管７１、第２エルボ管７２、短い第２ストレート管７３、第３エルボ管７４を有する。
図１に示す第１ダクト７は、直線状の管により構成されているため、蛇腹タイプの排気管よりも配管スペースを小さくできる構造を有している。
【００２８】
図４に示すように、第２エルボ管７２は、流路軸線に対して直交する断面が円形状をなす。第２エルボ管７２は、９０度に屈曲する屈曲部分７２ｅを備え、接続部７２ａ，７２ｂが９０度の位相差で設けられている。屈曲部分７２ｅの内周Ｐ１は、当該屈曲部分７２ｅを形成するために必要な加工幅のみで形成され、短くされている。第２エルボ管７２は、屈曲部分７２ｅの外周Ｐ２が曲面で形成され、圧損が小さくなるようにされている。このような第２エルボ管７２は、屈曲部分７２ｅの内周Ｐ１が短いため、屈曲部分７２ｅの全高Ｈが第２エルボ管７２の流路断面外径寸法と内周Ｐ１の加工幅とを加算した値となり、狭い範囲で流路の向きを変えることが可能である。接続部７２ｂには、複数（本実施形態では４個）の長溝７２ｄが貫通して形成されている。長溝７２ｄは、接続部７２ｂの円周方向に沿って等間隔に形成されている。長溝７２ｄは、ビス部材７９の軸部と摺動可能であって、溝幅がビス部材７９の頭部の直径より小さくされている。接続部７２ａには、２個のネジ穴７２ｃが対称位置に設けられている。
第１エルボ管７１、第３エルボ管７４は、第２エルボ管７２と構成が同様である。そのため、第２エルボ管７２を説明することにより、第２エルボ管７２の構成部分を例えば接続部７２ａを、第１エルボ管７１の接続部７１ａとし、番号を変えることで説明を割愛する。その他の構成部分も同様であり、第３エルボ管７４も同様とするため説明を割愛する。
【００２９】
図４に示すように、ストレート管７３の接続部７３ｂは、第２エルボ管７２の接続部７２ｂと同様に、長溝７３ｄが設けられている。また、接続部７３ａには、第２エルボ管７２の接続部７２ａと同様に、ネジ穴７３ｃが設けられている。
【００３０】
本実施形態においては、第１ダクト７は、第１ストレート管７０、第１エルボ管７１、第２エルボ管７２、第２ストレート管７３、第３エルボ管７４により構成される。しかし、送風機部２を換気扇穴１０３に干渉しない内壁面１０１ａに設置した場合、送風機部２と換気扇穴１０３との間を接続する形状であれば第１ダクト７の構成は、どのような構成であってもよい。
なお、ストレート管及びエルボ管は、上記に説明したように、管の両端に接続部が形成され、一端には長溝、他端にはネジ穴が形成されているものであれば、連結接続し第１ダクトを形成することができる。
【００３１】
＜第２ダクトの構成＞
図１に示す第２ダクト８は、送風機部２とフード部４を接続する。第２ダクト８は、略Ｓ字状のＳ字管８１、ストレート管８２を有する。
図１に示す第２ダクト８は、直線状の管により構成されているため、蛇腹タイプの排気管よりも配管スペースを小さくできる構造を有している。
【００３２】
ストレート管８２の構成は図４に示す上記ストレート管７３の構成と同様である。そのため、ストレート管８２の詳細な説明は割愛する。
Ｓ字管８１は、略Ｓ字形状をなし、Ｓ字管８１の両端部には、接続部８１ａ、８１ｂを有する。Ｓ字管８１の接続部８１ｂは、図４に示す第２エルボ管７２の接続部７２ｂと同様に、長溝８１ｄが設けられている。また、接続部８１ａは、図４に示す第２エルボ管７２の接続部７２ａと同様のネジ穴８１ｃが設けられている。
【００３３】
本実施形態においては、第２ダクト８は、Ｓ字管８１、ストレート管８２により構成される。しかし、送風機部２とフード部４との間を接続する形状であれば第２ダクト８の構成は、どのような構成であってもよい。
なお、ストレート管及びエルボ管は、上記に説明したように、管の両端に接続部が形成され、一端には長溝、他端にはネジ穴が形成されているものであれば、連結接続し第２ダクトを形成することができる。
【００３４】
＜換気扇穴隠蔽枠の概略構成＞
図３は、換気扇穴隠蔽枠５の分解斜視図である。
換気扇穴隠蔽枠５は、図２に示す換気扇穴１０３の木枠１０４内に嵌め込まれる枠本体５１を備える。
図３に示す、枠本体５１は、一方に開口する箱形状をなし、開口部外縁に沿ってフランジ部５２が設けられている。フランジ部５２には、換気扇穴隠蔽枠５を木枠１０４に固定するための固定ネジ１０が貫き通される貫通穴５３が複数形成されている。枠本体５１は、木枠１０４に沿って配置される側面に、防火部材９３が外側から接着剤やネジなどで固定される。防火部材９３には、ケイカル板などの不燃材を使用しても良いし、加熱されると膨張して部材同士を隔離させ火を遮断する防火シール材を使用しても良い。枠本体５１は、開口部と対向する面に、取付開口部５４が横長の長方形状に設けられている。取付開口部５４は、接続部形成部材５５により塞がれている。
【００３５】
接続部形成部材５５は、第１ダクト７が接続される接続部５７の配置をフレキシブルに変更できるようにするために、可動部材５６と閉鎖部材５８の二部品で構成されている。可動部材５６は、縦幅が取付開口部５４の縦幅より大きく、横幅が取付開口部５４の横幅より小さい板形状をなす。可動部材５６の一方の面には、第１ダクト７が接続される接続部５７が突設されている。接続部５７の開口部には、第１ストレート管７０のネジ穴７０ｃと同様にネジ穴５７ｄが形成されている。閉鎖部材５８は、枠本体５１と可動部材５６との間に形成される隙間を閉鎖するために、縦幅が可動部材５６の縦幅と同じ幅（取付開口部５４の縦幅より大きい幅）であって、横幅が可動部材５６の横幅より小さい板形状をなす。可動部材５６と閉鎖部材５８は、挿通穴５９，６０，６１に各々挿通したボルト６２にナット６３を締め込むことにより、枠本体５１に固定される。
【００３６】
＜レンジフードの交換手順＞
次に、図９に示す換気扇２０５をレンジフード１に交換する手順について説明する。
図９に示すように、壁１０１の換気扇穴１０３から換気扇２０５を取り外す。
換気扇２０５を取り外した後の換気扇穴１０３に、図２に示す換気扇穴隠蔽枠５を取り付ける。なお、接続部５７には、ベントキャップ１１が装着され、鳥が屋外から屋内へ侵入することを防いでいる。
【００３７】
換気扇穴隠蔽枠５は、枠本体５１の開口部を屋内側へ向けて枠本体５１を壁１０１の木枠１０４内に挿入する。そして、フランジ部５２を壁１０１の内壁面１０１ａに押し当て、固定ネジ１０をフランジ部５２の貫通穴５３に貫き通して木枠１０４にネジ込む。これにより、枠本体５１と木枠１０４が固定ネジ１０に締め付けられて固定される。
このとき、枠本体５１の取付開口部５４は、可動部材５６と閉鎖部材５８によって閉鎖されている。そのため、換気扇穴１０３は、換気扇穴隠蔽枠５によって屋外と屋内とを仕切られる。
【００３８】
ここで、防火対策の１つとして、換気扇穴隠蔽枠５と木枠１０４との間に不燃材を配置する方策がある。本実施形態のレンジフード１は、換気扇穴隠蔽枠５の外側面に予め不燃材の防火部材９３が固定されている。そのため、換気扇穴隠蔽枠５を木枠１０４に固定すると同時に、防火部材９３を木枠１０４と換気扇穴隠蔽枠５との間に配置する作業を行うことができ、レンジフード１の取り付けの作業性が良い。
【００３９】
そして、図１に示すように、フード部４を壁１０１の内壁面１０１ａに固定する。
また、送風機部２を換気扇穴１０３に干渉しない壁１０１の内壁面１０１ａに固定する。
送風機部２と換気扇穴隠蔽枠５の接続部５７を第１ダクト７で接続する。第１ダクト７は、現場の作業者が以下の手順を踏むことにより送風機部２と換気扇穴隠蔽枠５の接続部５７を接続する。
【００４０】
具体的には、作業者は、第１ストレート管７０の接続部７０ａを換気扇穴隠蔽枠５の接続部５７の開口部に差し込み、開口部に形成されたネジ穴５７ｄに、第１ストレート管７０のネジ穴７０ｃと挿通するようにビス部材７９を差し込み、ビス部材７９の先端部をナット等で固定する。それにより、第１ストレート管７０を換気扇穴隠蔽枠５に固定することができる。
また、第１エルボ管７１の接続部７１ａを第１ストレート管７０の接続部７０ｂに差し込む。接続部７０ｂに形成された長溝７０ｄに、図示しない第１エルボ管７１の接続部７１ａに形成されたネジ穴７１ｃにビス部材７９を差し込むことにより固定され、接続される。
続いて、第２エルボ管７２の接続部７２ａを第１エルボ管７１の接続部７１ｂに差し込む。接続部７１ｂに形成された長溝７１ｄに、第２エルボ管７２の接続部７２ａに形成されたネジ穴７２ｃにビス部材７９を差し込むことにより固定され、接続される。
また、第２ストレート管７３の接続部７３ａを第２エルボ管７２の接続部７２ｂに差し込む。接続部７２ｂに形成された長溝７２ｄに、第２ストレート管７３の接続部７３ａに形成されたネジ穴７３ｃにビス部材７９を差し込むことにより固定され、接続される。
また、第３エルボ管７４の接続部７４ａをストレート管７３の接続部７３ｂに差し込む。接続部７３ｂに形成された長溝７３ｄに、図示しない第３エルボ管７４の接続部７４ａに形成されたネジ穴７４ｃにビス部材７９を差し込むことにより固定され、接続される。
また、送風機部２の接続部２ａを第３エルボ管７４の接続部７４ｂに差し込む。接続部７４ｂに形成された長溝７４ｄに、図示しない送風機部２の接続部２ａに形成されたネジ穴２ｃにビス部材７９を差し込むことにより固定され、接続される。
【００４１】
上記エルボ管、ストレート管は、現場で切断することにより長さを調整することができる。そのため、各々異なる位置に形成された換気扇穴隠蔽枠５と送風機部２を接続することができる。現場で切断し長さを調整することにより、ネジ穴部分も切断してしまうが、ネジ穴は、切断後に作業者が穴あけによりネジ穴を形成することにより対応することができる。
送風機部２がどこに設置されていても換気扇穴隠蔽枠５と接続することができるため、送風機部２を任意の壁面又は天井面に設置することができる。したがって、換気扇穴１０３の位置を問わずにレンジフード１を取り付けることができるため、レンジフード１のデザインを問わずに取り付けることが可能となる。
また、送風機部２を天井面あるいは天井面に近い壁面に設置することができるため、一体型レンジフードよりフード部４の上部の空間を広く確保することができる。そのため、フード部４の上に奥行きスペースを要する物品の収納スペースを作ることができる。
【００４２】
送風機部２とフード部４を第２ダクト８で接続する。第２ダクト８は、現場の作業者が以下の手順を踏むことにより送風機部２とフード部４を接続する。
【００４３】
具体的には、作業者は、Ｓ字管８１の接続部８１ａをフード部４に形成されたレンジフード本体管４１の接続部４１ｂに差し込む。接続部４１ｂに形成された長溝４１ｄに、図示しないＳ字管８１の接続部８１ａに形成されたネジ穴８１ｃにビス部材７９を差し込むことにより固定され、接続される。
また、ストレート管８２の接続部８２ａをＳ字管８１の接続部８１ｂに差し込む。接続部８１ｂに形成された長溝８１ｄに、図示しないストレート管８２の接続部８２ａに形成されたネジ穴８２ｃにビス部材７９を差し込むことにより固定され、接続される。
また、ストレート管８２の他端の接続部８２ｂを送風機部２の図示しない接続部に差し込む。ネジ穴にビス部材を差し込むことにより固定され、接続される。
【００４４】
上記Ｓ字管、ストレート管は、現場で切断することにより長さを調整することができる。そのため、各々異なる位置に形成された送風機部２とフード部４を接続することができる。現場で切断し長さを調整することにより、ネジ穴部分も切断してしまうが、ネジ穴は、切断後に作業者が穴あけによりネジ穴を形成することにより対応することができる。
送風機部２がどこに設置されていてもフード部４と接続することができるため、送風機部２とフード部４を別体とすることができる。フード部４と送風機部２が別体とすることにより、一体型レンジフードと比較して個々の取付け部材を小型化できるため軽量となり、かつ自重を分散することができる。そのため、施工を容易に行うことができるので施工時の安全を確保することができる。
また、フード部４と送風機部２を別体とすることで、音の発生源である送風機部２を使用者から遠ざけることができる。そのため、強運転時の騒音を低減することができる。
【００４５】
制御ボックス９を送風機部２及びフード部４に接続させる。制御ボックス９を図２に示すように、内壁面１０１ａに図示しないボルト等により固定接続する。
続いて、第１配線９１の一端を制御ボックス９に接続し、他端を送風機部２に接続する。また、第２配線９２の一端を制御ボックス９に接続し、他端をフード部４に接続する。
制御ボックス９は、送風機部２の風速を実測すること、風速を基に制御基板はシロッコファン２１の回転数を最低レベルとする。すなわち、シロッコファン２１が最低限コンロで発生した排気ガスを吸い込んで気流を形成することができる程度の最低回転数とする。それにより、シロッコファン２１の機能を最低限保った状態で、シロッコファン２１の騒音を低減することができる。本効果は、フード部４と送風機部２を別体とすることで、音の発生源である送風機部２を使用者から遠ざける効果をさらに高めるものである。
【００４６】
上記より制御ボックス９をフード部４と別体とすることができる。それにより、制御ボックス９内の制御基板が故障した時に、制御基板を簡単に修理することができる。すなわち、フード部４と制御ボックス９が一体である場合には、フード部４を分解しなければならないが、制御ボックス９が別体であるため、制御ボックス９の制御基板のみを取外し、修理を行うことができる。したがって、修理が簡単になり、さらに修理時間を短縮することができる。さらに、制御ボックス９を再設置するときに、配線の誤接続や本体に配線を収納する際に、配線の挟み込みによる漏電・断線がなくなる。また、ネジ止め部の施工不良などの問題もなくなる。
また、フード部４を清掃するときに、スプレー式の洗剤液を不注意により制御ボックス９に吹きかけてしまい、制御基板が故障することがあった。しかし、フード部４と制御ボックス９が別体であることにより、洗剤液を制御ボックス９に誤って吹きかけることがなくなるため、不注意による制御基板の故障が生じる可能性を低減することができる。
【００４７】
そして、上記のように送風機部２、第１ダクト７、第２ダクト８、制御ボックス９を隠すように、図２に示すように、幕板９０をフード部４と壁１０１に固定する。
【００４８】
なお、接続部５７には、ベントキャップ１１が内設されている。そのため、本実施形態のレンジフード１は、鳥が屋外から屋内へ侵入することを防止できる。
また、レンジフード１は、枠本体５１と壁１０１との間に防火部材９３を配設しているので、第１ダクト７から壁１０１への延焼を防ぐことができる。
また、フード部４と送風機部２を別体とすることで、故障した部品のみの交換が可能となり、修理がしやすく、修理費用も低コストとなり、部品点数も少なくなるため環境にやさしい。
また、設置条件によりフード部４の幅が急に変更に立った場合でも、別体であることにより、フード部４のみ変更で済み、低コストを実現できる。
また、安全装置により火災を検知したら自動消火させるため、被害を最小限に食い止めることができる。
【００４９】
（第２実施形態）
第２実施形態に係るレンジフード２００は、第１実施形態に係るレンジフード１と比較して、フード部４０に角度調整を行うために用いられる角度調整部材２０１以外に異なるところがない。そのため、第２実施形態においては、角度調整部材２０１を説明することにより、その他の部分は、第１実施形態と同じ符号を用いることにより説明を割愛する。
なお、第２実施形態ではその他の部分の説明を割愛するが、第１実施形態と同様の作用、及び効果を有する。
【００５０】
＜角度調整部材の構成＞
図５に、通常の使用時のフード部４０の側面断面図を示す。図６に、フード部４０の壁面側４０Ｂの高さを低くし、手前側４０Ａの高さを高くした状態の側面断面図を示す。図５乃至図６においては、レンジフード２００から、フード部４０及び角度調整部材２０１を省略したが、第１実施形態で説明したその他の部分は同様の構成を有することができる。
図５に示すように、フード部４０のうち、壁１０１から遠い側を手前側４０Ａとする。他方、フード部４０のうち、壁１０１に近い側を壁面側４０Ｂとする。
【００５１】
図５に示すように、角度調整部材２０１は、断面直角三角形状である。角度調整部材２０１の断面直角三角形状は、隣辺２０１Ｄ、斜辺２０１Ｅ、対辺２０１Ｆを有する。隣辺２０１Ｄと対辺２０１Ｆの接続部は、直角である角部２０１Ａを有し、隣辺２０１Ｄと斜辺２０１Ｅの接続部は、３０度である角部２０１Ｂを有し、斜辺２０１Ｅと対辺２０１Ｆの接続部は、６０度である角部２０１Ｃを有する。
図示しないが、斜辺２０１Ｅにはボルト穴が形成されており、ボルトを差し込み壁１０１にボルトを固定することにより、角度調整部材２０１を壁１０１に固定することができる。
【００５２】
＜角度調整部材の作用効果＞
図５に示すように、角度調整部材２０１は、対辺２０１Ｆが壁１０１に当接した状態にある。また、角部２０１Ａが下方向に向いており、角部２０１Ｃが上方向に向いている。隣辺２０１Ｄは、壁１０１と垂直の関係にあり、隣辺２０１Ｄは下方向を向いている。
角度調整部材２０１の隣辺２０１Ｄとフード部４０の上面４５が当接した状態にある。そのためフード部４０も隣辺２０１Ｄと同様に壁１０１に対して垂直な状態となる。したがって、フード部４０は、壁１０１と垂直の状態となるため、手前側４０Ａと壁面側４０Ｂの高さ位置は変わらず、壁１０１に対して垂直の状態となる。
【００５３】
次に、図５に示すフード部４０が垂直な状態から、図６に示すような、フード部４０の壁面側４０Ｂの高さを低くし、手前側４０Ａの高さを高くした状態へ変更する際の順序を説明する。本実施形態にあるように、フード部４０の高さを調整することができるのは、第１実施形態にあるように、レンジフード本体と送風機部が別体として存在するため、レンジフード本体の重さが軽量となったことにより角度の調整を行える。
図５に示す状態において、斜辺２０１Ｅに挿入されていたボルトを取り外す。ボルトを取り外す際には、フード部４０の手前側４０Ａを上方向に持ちあげることにより、角度調整部材２０１に荷重が掛からず、ボルトの取り外しを容易にすることができる。
角度調整部材２０１を取外し、図６に示すように、角部２０１Ａが上方向に向いており、角部２０１Ｃが下方向に向いた状態する。また、対辺２０１Ｆが壁１０１に当接した状態とする。
角度調整部材２０１の斜辺２０１Ｅとフード部４０の上面４５が当接した状態にある。そのため、フード部４０も斜辺２０１Ｅと同様に壁１０１に対して６０度上方向に傾いた状態となる。したがって、フード部４０は、壁１０１に対して６０度手前側４０Ａが上がった状態となるため、手前側４０Ａが壁面側４０Ｂよりも高い位置に位置することになる。
【００５４】
フード部４０の手前側４０Ａを高くすることができることにより、使用者が背の高いものである場合において、頭がフード部４０の手前側４０Ａにぶつかることなくレンジフード１を使用することができる。
具体的には、コンロからの高さを８０ｃｍから１００ｃｍにすることができる。
【００５５】
次に、図５に示すフード部４０が垂直な状態から、図７に示すような、フード部４０の壁面側４０Ｂの高さを高くし、手前側４０Ａの高さを低くした状態へ変更する際の順序を説明する。
図５に示す状態において、斜辺２０１Ｅに挿入されていたボルトを取り外す。ボルトを取り外す際には、フード部４０の手前側４０Ａを上方向に持ちあげることにより、角度調整部材２０１に荷重が掛からず、ボルトの取り外しを容易にすることができる。
角度調整部材２０１を取外し、図７に示すように、角度調整部材２０１の壁１０１に固定する位置を下げる。角度調整部材２０１は、角部２０１Ａが下方向に向いており、角部２０１Ｃが上方向に向いた状態する。また、対辺２０１Ｆが壁１０１に当接した状態とする。
角度調整部材２０１の斜辺２０１Ｅとフード部４０の下面４６が当接した状態にある。そのため、フード部４０も斜辺２０１Ｅと同様に壁１０１に対して６０度下方向に傾いた状態となる。したがって、フード部４０は、壁１０１に対して６０度手前側４０Ａが下がった状態となるため、手前側４０Ａが壁面側４０Ｂよりも低い位置に位置することになる。
【００５６】
フード部４０の手前側４０Ａを低くすることができることにより、使用者が背の低いものである場合において、フード部４０の運転スイッチ１４が手の届く位置に移動するため操作が行いやすくなる。
具体的には、コンロからの高さを８０ｃｍから６０ｃｍにすることができる。コンロからの高さを２０ｃｍ低くすることができることにより、コンロで発生した排気ガスを吸い込みやすくなる。
【００５７】
以上より、フード部４０の角度を調整する角度調整部材２０１を有することにより、使用者が背の高い使用者である場合でも角度を調整することでフード部４０が邪魔になることなく使用することができる。
他方、使用者が背の低い使用者である場合でも角度を調整することでフード部４０を適した位置で使用することができる。すなわち、手の届く範囲に運転スイッチ１４を配置することができるため、作業効率が良くなる。
【００５８】
角度調整部材２０１により、フード部４０の壁面側４０Ｂの高さが低くなること、及び、手前側４０Ａの高さが高くなることにより、使用者の背の高さに合わせてフード部４０の高さを調整することができる。
また、角度調整部材２０１がフード部４０の壁面側４０Ｂの高さが低くなると、手前側４０Ａの高さが高くなるように、シーソーの原理で動くため、大がかりな装置を必要としないため小さな力で角度調整をすることができる。シーソーの原理に動かすことができるのは、第１実施形態のようにレンジフード本体と送風機部が別体として用いられているため、レンジフード本体が軽量となったからである。
【００５９】
角度調整部材２０１は、断面直角三角形状を構成することにより、フード部４０の角度を上げた時又は下げた時であっても、角度調整部材２０１の向きを変えることで、角度調整部材２０１がフード部４０に接続可能となり、フード部４０を固定することができる。
また、角度調整部材２０１が断面直角三角形状であることにより、Ｌ型接続部材の直角の隣辺にかかっていた荷重を直角に対する辺にも分散することができる。そのためレンジフード本体が前のめりに傾くことを防止することができる。
【００６０】
（第３実施形態）
第３実施形態においては、図１に示す第１実施形態のレンジフード１に温度検出装置９５及び安全装置９６が設置されている以外異なるところはない。そのため、第１実施形態と同じ部分については説明を割愛する。
図７に示すように、温度検出装置９５がフード部４に設置されている。また、温度検出装置９５は、第２ダクト８近辺に設置することが好ましい。第２ダクト８周辺であれば、排気と接触するため、火災が発生した際に温度が上昇したことを早期に検知することができるためである。ここで、温度検出装置９５は、機械式（温度ヒューズ式）若しくは、バイメタル式、電子式（サーミスタ式）のものを指す。
安全装置９６は、制御ボックス９内に備えられている。本実施形態においては、安全装置９６と温度検出装置９５は、無線により接続している。本実施形態では無線としたが、接続は有線であってもよい。ここで、安全装置９６とは、温度検出装置９５により送風機部２を自動停止できるもの、あるいは小型消火器との連動により自動消火できるものである。また、温度検出装置９５や図示しない小型消火器はフード部４内であり、かつ第２ダクト８との接続部近辺に実装する。
【００６１】
例えば、天ぷら火災が起こった場合には、従来、制御ボックス９は、通常排気と接触しない位置にあり、安全装置が火災を感知するのに時間を要した。そのため、火災が沈下するまでレンジフードの電源は入ったままとなり、炎がダクト内まで引き込まれ延焼火災をもたらす危険性があった。
しかし、本実施形態では、安全装置９６と制御ボックス９をフード４と別体として、さらに、安全装置９６と接続する温度検出装置９５を直に排気と接触する第２ダクト８の近辺に設置することができる。排気と直に接触する第２ダクト８に温度検出装置９５を設けることにより、いち早く高温を検知できる。したがって、安全装置９６により火災を検知したら図示しない小型消火器により自動消火させるため被害を最小限に食い止めることができる。最小限に被害を食い止めることができるため、延焼火災を防止することができる。
【００６２】
＜変形例＞
なお、本発明は、上記実施形態に限定されることなく、色々な応用が可能である。
例えば、上記実施形態では、９０度に屈曲したエルボ管を用いたが、４５度に屈曲したエルボ管を第１ダクト７または第２ダクト８の一部に使用しても良い。すなわち、送風機部２と換気扇穴１０３の位置関係によりエルボ管の角度を変更することで、どのような位置に送風機部２と換気扇穴１０３が形成されていても両方を連結することができる。
例えば、枠本体５１，８２の外側面に防火部材９３を挿入して配置するための凹部を設けても良い。この場合、防火部材９３を枠本体５１，８２に接着する手間を省くことができる。例えば、外壁面１０１ｂ側から接続部５７に、防水のためのウェザーキャップを取り付けても良い。この場合、ウェザーカバー１０５を省き、外観を良くすることができる。
例えば、ストレート管、エルボ管、Ｓ字管は、レンジフード１の取付作業時において作業者が切断することにより、組立をすることができる。切断することができることにより、換気扇穴１０３がどのような場所に形成されていたとしても、送風機部と連結することができる。
【符号の説明】
【００６３】
１、２００  レンジフード
２  送風機部
４、４０  フード部
５  換気扇穴隠蔽枠
７  第１ダクト
８  第２ダクト
９  制御ボックス
９５  温度検出装置
９６  安全装置
１０１  壁面
１０３  換気扇穴
２０１  角度調整部材
【図１】
0005792449.tif 000002
【図２】
0005792449.tif 000003
【図３】
0005792449.tif 000004
【図４】
0005792449.tif 000005
【図５】
0005792449.tif 000006
【図６】
0005792449.tif 000007
【図７】
0005792449.tif 000008
【図８】
0005792449.tif 000009
【図９】
0005792449.tif 000010